(57)【要約】【課題】低毒性であり、乾燥性に優れ、且つ、両性汚れに対する溶解性に優れる洗浄用溶剤組成物を提供する。【解決手段】両性汚れが付着した被洗浄物を洗浄するための溶剤組成物であって、（Ａ）１，１，１，３，３−ペンタフルオロブタンと、（Ｂ）（ｂ１）イソヘキサン及び（ｂ２）ｎ−ペンタンからなる群より選択される１以上の飽和炭化水素とを含み、（Ａ）及び（Ｂ）の合計１００重量部に対して、（Ｂ）が４０〜８５重量部である、溶剤組成物。【選択図】なし【特許請求の範囲】
【請求項１】
両性汚れが付着した被洗浄物を洗浄するための溶剤組成物であって、
（Ａ）１，１，１，３，３−ペンタフルオロブタンと、
（Ｂ）（ｂ１）イソヘキサン及び（ｂ２）ｎ−ペンタンからなる群より選択される１以上の飽和炭化水素と
を含み、（Ａ）及び（Ｂ）の合計１００重量部に対して、（Ｂ）が４０〜８５重量部である、溶剤組成物。
【請求項２】
（Ｂ）が（ｂ１）イソヘキサンであり、（Ａ）及び（ｂ１）の合計１００重量部に対して、（ｂ１）が４０〜６０重量部である、請求項１に記載の溶剤組成物。
【請求項３】
（Ｂ）が（ｂ２）ｎ−ペンタンであり、（Ａ）及び（ｂ２）の合計１００重量部に対して、（ｂ１）が４０〜７０重量部である、請求項１に記載の溶剤組成物。
【請求項４】
更に（Ａ）及び（Ｂ）の合計１００重量部に対して、（Ｃ）界面活性剤を０．０１〜５重量部含む、請求項１〜３のいずれか一項に記載の溶剤組成物。
【請求項５】
両性汚れが付着した被洗浄物を洗浄するため溶剤組成物であって、
（Ａ）１，１，１，３，３−ペンタフルオロブタンと、
（Ｂ）（ｂ１）イソヘキサン及び（ｂ２）ｎ−ペンタンからなる群より選択される１以上の飽和炭化水素と、
（Ｃ）界面活性剤と、
（Ｄ）更なる成分
のみからなり、（Ａ）及び（Ｂ）の合計１００重量部に対して、（Ｂ）が４０〜８５重量部であり、（Ｃ）が０〜５重量部であり、（Ｄ）が０〜１０重量部である、溶剤組成物。
【請求項６】
両性汚れが付着した被洗浄物を洗浄するため方法であって、請求項１〜５のいずれか一項に記載の溶剤組成物を被洗浄物と接触させる工程を含む方法。
【発明の詳細な説明】
【技術分野】
【０００１】
本発明は、洗浄用溶剤組成物に関する。
【背景技術】
【０００２】
油及び水の混合汚れ（以下、「両性汚れ」ともいう。）とは、油（例えば、加工油、潤滑油、切削油、プレス油、防錆油）と水がヘドロ状に混合されたものである。このような汚れは、通常、油を用いる加工工程において、加工部品又は加工装置に水を吹き付けることにより発生する。
【０００３】
従来、不燃性で化学的に安定な脱脂力の有るフッ素系溶剤としてジクロロペンタフルオロプロパン（Ｒ２２５）やジクロロフルオロエタン（Ｒ１４１ｂ）等といったハイドロクロロフルオロカーボン（以下ＨＣＦＣと記す）が工業洗浄において広く使われてきたが、オゾン破壊係数が大きいことから先進国においては２０２０年に全廃されることが決定されている。そこでＨＣＦＣに代る新たなフッ素系溶媒としてハイドロフルオロエーテル（以下ＨＦＥと記す）やハイドロフルオロカーボン（以下ＨＦＣと記す）が注目されている。両者ともオゾン破壊係数がゼロで、化学的安定性に優れ表面張力が小さく乾燥性が高いという利点があるが、脱脂力はＨＣＦＣと比較して劣る。以上のことからＨＦＥやＨＦＣに脱脂力を持たせるため、油脂の溶解力のある溶媒との混合物が種々提案されている。
【０００４】
特許文献１には、溶解力向上のために、フッ素系溶媒に、トランス−１，２−ジクロロエチレン、メタノール、エタノール、イソプロパノール、アセトン又は１−ブロモプロパンを組合せた溶剤組成物が開示されている。また、特許文献２では、溶解力向上のために、フッ素系溶媒に、グリコールエーテル類を組合せた溶剤組成物が開示されている。
【先行技術文献】
【特許文献】
【０００５】
【特許文献１】特許３８８４２３１号公報
【特許文献２】特開平１０−２１２４９８号公報
【発明の概要】
【発明が解決しようとする課題】
【０００６】
特許文献１及び２について、前記した化合物は、いずれも人体への影響が懸念されている。また、本発明者らの知見によれば、両性汚れは、油に水が混入していることと、加工途中で両性汚れを洗浄する場合は、乾燥工程に時間をかけられないことから、脱脂力のみならず乾燥性が高く、水との相溶性を持つ、洗浄剤に対する必要性が高まっていた。
【０００７】
本発明は、低毒性であり、乾燥性に優れ、且つ、両性汚れに対する溶解性に優れる洗浄用溶剤組成物を提供することを目的とする。
【課題を解決するための手段】
【０００８】
本発明者らは、前記の課題を解決すべく鋭意研究を重ねた結果、特定量の１，１，１，３，３−ペンタフルオロブタンと、特定量のイソヘキサン及びｎ−ペンタンからなる群より選択される１以上の飽和炭化水素を含む溶剤組成物が、低毒性であり、且つ乾燥性に優れた、両性汚れを落とすための洗浄剤であることを見出し本発明に至った。
【０００９】
本発明は、以下の態様を含む。
（１）両性汚れが付着した被洗浄物を洗浄するための溶剤組成物であって、（Ａ）１，１，１，３，３−ペンタフルオロブタンと、（Ｂ）（ｂ１）イソヘキサン及び（ｂ２）ｎ−ペンタンからなる群より選択される１以上の飽和炭化水素とを含み、（Ａ）及び（Ｂ）の合計１００重量部に対して、（Ｂ）が４０〜８５重量部である、溶剤組成物。
（２）（Ｂ）が（ｂ１）イソヘキサンであり、（Ａ）及び（ｂ１）の合計１００重量部に対して、（ｂ１）が４０〜６０重量部である、（１）の溶剤組成物。
（３）（Ｂ）が（ｂ２）ｎ−ペンタンであり、（Ａ）及び（ｂ２）の合計１００重量部に対して、（ｂ１）が４０〜７０重量部である、（１）の溶剤組成物。
（４）更に（Ａ）及び（Ｂ）の合計１００重量部に対して、（Ｃ）界面活性剤を０．０１〜５重量部含む、（１）〜（３）の溶剤組成物。
（５）両性汚れが付着した被洗浄物を洗浄するため溶剤組成物であって、
（Ａ）１，１，１，３，３−ペンタフルオロブタンと、
（Ｂ）（ｂ１）イソヘキサン及び（ｂ２）ｎ−ペンタンからなる群より選択される１以上の飽和炭化水素と、
（Ｃ）界面活性剤と、
（Ｄ）更なる成分
のみからなり、（Ａ）及び（Ｂ）の合計１００重量部に対して、（Ｂ）が４０〜８５重量部であり、（Ｃ）が０〜５重量部であり、（Ｄ）が０〜１０重量部である、溶剤組成物。
（６）両性汚れが付着した被洗浄物を洗浄するため方法であって、（１）〜（５）の溶剤組成物を被洗浄物と接触させる工程を含む方法。
【発明の効果】
【００１０】
本発明により、低毒性であり、乾燥性に優れ、且つ、両性汚れに対する溶解性に優れる洗浄用溶剤組成物が提供できる。
【発明を実施するための形態】
【００１１】
本明細書において、「洗浄」とは、被洗浄物から、両性汚れを除去することを意味する。本明細書において、「溶解」とは、溶解及び分散の少なくとも一方の意味を含む。本明細書において、「両性汚れ」とは、水及び油の混合汚れであり、親油性及び親水性の両方の汚れの性質を有する。
【００１２】
本発明において、溶剤組成物は、両性汚れが付着した被洗浄物を洗浄するために用いられる。具体的には、溶剤組成物が被洗浄物と接触し、両性汚れにおける水を溶解すると同時に、両性汚れにおける油を溶解することにより、金属と水は、油から容易に分離する。これにより、両性汚れは被洗浄物から除去される。また、溶剤組成物は、ヘドロ状の両性汚れを容易に分散できるため流しやすい。
【００１３】
溶剤組成物は、両性汚れが付着した被洗浄物を洗浄するための溶剤組成物であって、（Ａ）１，１，１，３，３−ペンタフルオロブタンと、（Ｂ）（ｂ１）イソヘキサン及び（ｂ２）ｎ−ペンタンからなる群より選択される１以上の飽和炭化水素とを含み、（Ａ）及び（Ｂ）の合計１００重量部に対して、（Ｂ）が４０〜８５重量部である、溶剤組成物である。溶剤組成物に用いられる成分は、ｎ−ヘキサンのように労働安全衛生法第６５条の２第２項に基づく管理濃度の設定はなく、また、労働安全衛生法の有機溶剤中毒予防則（「有機則」とも呼ばれる）に非該当であり、人体への影響の懸念がない。そのため、溶剤組成物は低毒性である。
【００１４】
＜（Ａ）１，１，１，３，３−ペンタフルオロブタン＞
（Ａ）は、１，１，１，３，３−ペンタフルオロブタン（「３６５ｍｆｃ」とも呼ばれる）である。３６５ｍｆｃは、組成物に乾燥性及び低毒性を付与する成分である。
【００１５】
＜（Ｂ）飽和炭化水素＞
（Ｂ）は、（ｂ１）イソヘキサン及び（ｂ２）ｎ−ペンタンからなる群より選択される１以上の飽和炭化水素である。飽和炭化水素は、組成物に低毒性及び両性汚れの溶解性を付与する成分である。飽和炭化水素は、（ｂ１）イソヘキサンが好ましい。
【００１６】
（Ｂ）の量は、（Ａ）及び（Ｂ）の合計１００重量部に対して、４０〜８５重量部である。このような（Ｂ）の量であると、両性汚れの溶解性が向上すると共に、（Ｂ）単独に比べて乾燥性に優れる。（Ａ）及び（Ｂ）の合計１００重量部に対して、（Ｂ）の量が４０重量部未満であると、両性汚れの溶解性に劣る。（Ａ）及び（Ｂ）の合計１００重量部に対して、（Ｂ）が８５重量部超であると、（Ａ）による乾燥性向上の効果が十分に発揮されない。
【００１７】
（Ｂ）が（ｂ１）イソヘキサンである場合、乾燥性及び両性汚れの溶解性の両方がより向上する傾向があることから、（Ａ）及び（ｂ１）の合計１００重量部に対して、（ｂ１）が４０〜６０重量部であるのが好ましく、５０重量部超５９重量部以下であるのがより好ましい。
【００１８】
（Ｂ）が（ｂ２）ｎ−ペンタンである場合、乾燥性及び両性汚れの溶解性の両方がより向上する傾向があることから、（Ａ）及び（ｂ２）の合計１００重量部に対して、（ｂ２）が４０〜７０重量部であるのが好ましく、４５重量部〜５９重量部であるのがより好ましい。
【００１９】
＜（Ｃ）界面活性剤＞
溶剤組成物は、（Ｃ）界面活性剤を含むことができる。（Ｃ）界面活性剤は、（ｃ１）非イオン性界面活性剤、（ｃ２）陰イオン性界面活性剤及び（ｃ３）陽イオン性界面活性剤が挙げられる。（Ｃ）界面活性剤は、（ｃ１）非イオン性界面活性剤が好ましい。（Ｃ）界面活性剤は、単独で用いてもよく、複数の組合せで用いてもよい。
【００２０】
（ｃ１）非イオン性界面活性剤は、特に限定されず、アセチレングリコールを骨格とする界面活性剤、アルコールエチレンオキサイド付加物、Ｎ‐アシル中性アミノ酸エステル、アルキルフェノールエチレンオキサイド付加物、脂肪酸エチレンオキサイド付加物、アルキルアミンエチレンオキサイド付加物、ソルビトール及びソルビタンの脂肪酸エステル、ショ糖脂肪酸エステル、シリコーン系界面活性剤、及びフッ素系界面活性剤等が挙げられる。ここで、アセチレングリコールは、式：ＨＯＲ１Ｒ２ＣＣ≡ＣＣＲ１Ｒ２ＯＨ（式中、Ｒ１及びＲ２は、互いに独立して一価の炭化水素基である）で示され、Ｒ１がメチルであり、Ｒ２がイソブチルであるのが好ましい。
【００２１】
アセチレングリコールを骨格とする界面活性剤として、アセチレングリコールにポリオキシエチレンを付加させたポリオキシエチレンアセチレニック・グリコールエーテル（日信化学株式会社製、オルフィンＥ１０１０）等が挙げられる。ここで、オルフィンＥ１０１０は、ＣＨ３ＣＨ（ＣＨ３）ＣＨ２Ｃ（ＣＨ３）（ＯＨ）Ｃ≡ＣＣ（ＣＨ３）（ＯＨ）ＣＨ２ＣＨ（ＣＨ３）ＣＨ３にポキオキシエチレンが付加した構造を有する。アルコールエチレンオキサイド付加物としては、ポリオキシエチレンラウリルエーテル（日本エマルジョン株式会社製、ＥＭＡＬＥＸ７０３、ＥＭＡＬＥＸ７０７）等が挙げられる。Ｎ‐アシル中性アミノ酸エステルとしては、ラウロイルグルタミン酸ジヘキシルデシル、ミリストイルメチルアミノプロピオン酸ヘキシルデシル（日本エマルジョン株式会社製ＡＭＩＴＥＲ  ＭＡ−ＨＤ）等が挙げられる。
【００２２】
非イオン性界面活性剤として、ポリオキシエチレンアセチレニック・グリコールエーテル、ポリオキシエチレンラウリルエーテル及びミリストイルメチルアミノプロピオン酸ヘキシルデシルが好ましい。
【００２３】
（ｃ２）陰イオン性界面活性剤は、特に限定されず、ジアルキルスルホコハク酸塩、ドデシルベンゼンスルホン酸塩、高級アルコールエチレンオキサイド付加物のアルキルエーテルサルフェート、アルカノールアミン塩のアルキルサルフェート等が挙げられる。
【００２４】
（ｃ３）カチオン性界面活性剤は、特に限定されず、ラウリルジメチルエチルアンモニウムエトサルフェート、パルミチルジメチルエチルアンモニウムエトサルフェート、ジメチルステアリル（ジヒドロキシエチル）アンモニウム−ｐ−トルエンスルホネート、オレイルジメチルヒドロキシプロピルアンモニウムメチルサルフェート等の第４級アンモニウム塩が挙げられる。
【００２５】
（Ｃ）の量は、（Ａ）及び（Ｂ）の合計１００重量部に対して、０〜５重量部であるのが好ましく、０．０１〜５重量部であるのがより好ましく、０．０４〜３重量部が特に好ましい。（Ａ）及び（Ｂ）の合計１００重量部に対して、（Ｃ）の量が０．０１重量部以上であると、両性汚れの溶解性がより向上し、５重量部以下であると、両性汚れの溶解性がより向上する一方、界面活性剤による乾燥性の低下が抑えられる。
【００２６】
＜（Ｄ）更なる成分＞
溶剤組成物は、本発明の効果を損なわない限り、（Ｄ）更なる成分を含むことができる。このような成分として、例えば、紫外線吸収剤及び酸化防止剤が挙げられる。更なる成分は、単独で用いることもでき、また複数の混合物として用いることもできる。
【００２７】
紫外線吸収剤及び酸化防止剤は、溶剤組成物の長期保存等における安定性を向上させる成分である。紫外線吸収剤は、溶剤組成物に溶解するものであれば特に限定されず、ベンゾトリアゾール系紫外線吸収剤、ベンゾフェノン系紫外線吸収剤、及びヒンダードアミン系紫外線吸収剤が挙げられる。酸化防止剤は、溶剤組成物に溶解するものであれば特に限定されず、フェノール系酸化防止剤、アミン系酸化防止剤、硫黄系酸化防止剤、及びリン系等酸化防止剤が挙げられる。
【００２８】
（Ｄ）の量は、（Ａ）及び（Ｂ）成分の合計１００重量部に対して、０〜１０重量部であるのが好ましく、０．０１〜１０重量部であるのがより好ましく、０．０１〜５重量部であるのが特に好ましい。
【００２９】
溶剤組成物として、（Ａ）及び（Ｂ）を含む溶剤組成物；（Ａ）及び（Ｂ）のみからなる溶剤組成物；（Ａ）、（Ｂ）及び（Ｃ）を含む溶剤組成物；（Ａ）、（Ｂ）及び（Ｃ）のみからなる溶剤組成物；（Ａ）、（Ｂ）、（Ｃ）及び（Ｄ）を含む組成物；並びに、（Ａ）、（Ｂ）、（Ｃ）及び（Ｄ）のみからなる組成物；が挙げられる。（Ａ）及び（Ｂ）成分は、溶剤組成物の６０重量％以上であるのが好ましく、９０重量％以上であるのがより好ましく、９７重量％以上であるのが特に好ましい。
【００３０】
溶剤組成物は、原料成分である、１，１，１，３，３−ペンタフルオロブタン、飽和炭化水素、並びに場合により界面活性剤及び／又は更なる成分を混合することにより製造することができる。溶剤組成物に用いる原料成分は、市販のものを用いることができる。
【００３１】
（両性汚れ）
両性汚れに含まれる油として、鉱物油、フッ素オイル、シリコーンオイル、植物油等が挙げられる。これらは、石油ワックス、グリース、潤滑油、機械油、切削油、メンテナンスオイル等として用いられる。両性汚れは、特に限定されず、金属加工（例えば、金属圧延工程）、電子部品の製造等により発生し得るヘドロ状の汚れである。ここで、油汚れの除去のみを対象とする溶剤組成物は、水と相溶性を有さないため、ヘドロ状の両性汚れに対して、油汚れの除去のみを対象とする溶剤組成物を用いたとしても、両性汚れを水と油に効率よく分離させて、油汚れを効率よく溶解することができない。また、水汚れの除去のみを対象とする溶剤組成物は、油の溶解性を有さないため、ヘドロ状の両性汚れに対して、水汚れの除去のみを対象とする溶剤組成物を用いたとしても、両性汚れを水と油に効率よく分離させて、油汚れを効率よく溶解することができない。このように、水汚れ及び油汚れと両性汚れとでは、洗浄のしやすさが異なる。なお、両性汚れは、電子部品の製造により生じる部品片、金属加工により生じる金属粉といった、被洗浄物から除去されうる固体の汚れを含んでいてもよい。固体の汚れの大きさは、特に限定されず、両性汚れが発生する要因により依存する。
【００３２】
（被洗浄物）
被洗浄物は、特に限定されず、金属、プラスチック、金属加工装置、電子部品の製造装置等が挙げられる。
【００３３】
（洗浄方法）
溶剤組成物を用いた洗浄方法は、両性汚れが付着した被洗浄物を洗浄するため方法であって、溶剤組成物を被洗浄物と接触させる工程を含む。溶剤組成物を被洗浄物に接触させる工程において、被洗浄物に付着した両性汚れは、被洗浄物から溶解除去される。溶剤組成物と、被洗浄物とを接触させるための方法としては、特に制限はなく、例えば、手拭き、浸漬洗浄（液相洗浄）、スプレー、超音波洗浄、蒸気洗浄（気相洗浄）が挙げられる。
【００３４】
浸漬洗浄は、被洗浄物の一部又は全部を溶剤組成物に浸漬させることにより、溶剤組成物を被洗浄物に接触させる工程を含む。浸漬洗浄における溶剤組成物の温度は、特に限定されず、室温（例えば、２３℃）から溶剤組成物の沸点までの温度であることができる。いわゆる煮沸洗浄のように、溶剤組成物を沸点に維持して、被洗浄物の一部又は全部を溶剤組成物に浸漬させることにより、溶剤組成物を被洗浄物に接触させる工程を含む方法も浸漬洗浄に含まれる。
【００３５】
溶剤組成物及び被洗浄物の接触時間に相当する洗浄時間は、被洗浄物から両性汚れを除去できる時間であれば特に制限されない。
【実施例】
【００３６】
以下、本発明を実施例及び比較例により更に詳細に説明するが、本発明はこれら実施例により限定されるものではない。
【００３７】
＜溶解性の評価＞
容量１５ｍｌの試験管に、金属粉、油及び水の混合汚れ（金属粉を含む両性汚れ）を１．０ｇ秤取り、試験液を１０ｍｌ入れて３０回撹拌した後１０分間静置し、残渣（主成分は、試験液に溶解しなかった油と金属粉の混合物である。）の高さと液面の高さを測定した。表における溶解性の値は、「残渣の高さ÷液面の高さ＝溶解性」によって求めた値である。なお、実施例及び比較例で用いた金属粉を含む両性汚れは、油として鉱物油を用いた金属加工により発生した両性汚れである。また、実施例３の溶剤組成物を用いた溶解性の評価後の残渣を含む試験液を、ろ紙（ＡＤＶＡＮＴＥＣ製、ＨＡＲＤＥＮＤ  ４Ａ  １２５ｍｍ  円形）を用いてろ過し、乾燥させた後、金属粉が凝集している場合を考慮し、スパチュラで砕いて、顕微鏡観察のための金属粉を得た。金属粉を顕微鏡により目視で観察し、観察領域（直径７．５ｍｍの円）に存在した金属粉の粒径は、０．０２５ｍｍ〜４．５ｍｍであった。
【００３８】
＜乾燥性の評価＞
試験に用いた液を、パスツールピペット（ＭＡＲＩＥＮＦＥＬＤ社、１５０ｍｍ）を用いて、ステンレス製トレー（２５０ｍｍ×１５０ｍｍ）の中央部分に、垂直に２滴滴下し、乾燥するまでに要した時間を５回計測し、その中央値を求めた。乾燥の判断は、目視で行った。
【００３９】
比較例１〜３
試験液として、表１に示す溶剤を単独で用いた。容量１５ｍｌの試験管に、金属粉、油及び水の混合汚れ（金属粉を含む両性汚れ）を１．０ｇ秤取り、試験液を１０ｍｌ入れて３０回撹拌した後１０分間静置し、溶解性の有無を判断した。結果を表１に示す。
【００４０】
【表１】
2017014411.tif 000002
溶解性の判断は以下のとおりである。
○：溶解性が認められる
×：溶解性が認められない（金属、油及び水の混合物が表面に浮いてヘドロ状に固まるか、沈殿してヘドロ状に固まる）
【００４１】
実施例１〜８及び比較例４〜５
【００４２】
（１）溶剤組成物の調製
実施例１〜８及び比較例４〜５の溶剤組成物を、以下の表２及び表３で示される組成で、各成分を混合することにより調製した。なお、表における各成分の量は重量％である。
【００４３】
（２）溶解性及び乾燥性の評価
実施例１〜８及び比較例４〜５の溶剤組成物の溶解性及び乾燥性は、「溶解性の評価」及び「乾燥性の評価」に従って評価した。結果を表２及び表３に示す。ここで、「溶解性の評価」により測定した溶解性が０．２３０以下である溶剤組成物は、両性汚れの溶解性に優れる。また、「乾燥性の評価」により測定した乾燥性が６０秒以下である溶剤組成物は、乾燥性に優れる。
【００４４】
【表２】
2017014411.tif 000003
【００４５】
【表３】
2017014411.tif 000004
【００４６】
実施例９〜１２
（１）溶剤組成物の調製
実施例８の溶剤組成物において、表４で示される界面活性剤を、３６５ｍｆｃ及びｎ−ペンタンの合計１００重量部に対して１．０重量部加えて、各成分を混合することにより、実施例９〜１２の溶剤組成物を調製した。
【００４７】
（２）溶解性の評価
実施例９〜１２の溶剤組成物の溶解性は、「溶解性の評価」に従って評価した。結果を表４に示す。
【００４８】
【表４】
2017014411.tif 000005
オルフィン  Ｅ１０１０：ポリオキシエチレンアセチレニック・グリコールエーテル（日信化学株式会社製）
ＡＭＩＴＥＲ  ＭＡ−ＨＤ：ミリストイルメチルアミノプロピオン酸ヘキシルデシル（日本エマルジョン株式会社製）
ＥＭＡＬＥＸ７０３：ポリオキシエチレンラウリルエーテル（ＨＬＢ値８）（日本エマルジョン株式会社製）
ＥＭＡＬＥＸ７０７：ポリオキシエチレンラウリルエーテル（ＨＬＢ値１１）（日本エマルジョン株式会社製）
【００４９】
実施例１３〜１８
（１）溶剤組成物の調製
実施例８の溶剤組成物において、表５に示される界面活性剤を、３６５ｍｆｃ及びｎ−ペンタンの合計１００重量部に対して表５に示す重量部で加えて、各成分を混合することにより、実施例１３〜１７の溶剤組成物を調製した。また、実施例３の溶剤組成物において、表１１に示される界面活性剤を、３６５ｍｆｃ及びイソヘキサンの合計１００重量部に対して１．１重量部加えて、各成分を混合することにより、実施例１８の溶剤組成物を調製した。
【００５０】
（２）溶解性及び乾燥性の評価
「溶解性の評価」及び「乾燥性の評価」に従って、溶解性及び乾燥性を評価した。結果を表５及び６に示す。
【００５１】
【表５】
2017014411.tif 000006
＊実施例１３〜１７のベースの組成物は、実施例８（３６５ｍｆｃ：ｎ−ペンタン＝５７．３：４２．７）の組成物である。界面活性剤の添加量は、３６５ｍｆｃ及びｎ−ペンタンの１００重量部に対する重量部である。
【００５２】
【表６】
2017014411.tif 000007
＊実施例１８のベースの組成物は、実施例３（３６５ｍｆｃ：イソヘキサン＝４５．６：５４．４）の組成物である。界面活性剤の添加量は、３６５ｍｆｃ及びイソヘキサンの１００重量部に対する重量部である。
【００５３】
表２〜表６より、実施例１〜１８の溶剤組成物は、乾燥性に優れ、且つ両性汚れの溶解性に優れていた。一方、比較例の溶剤組成物は、乾燥性又は両性汚れの溶解性が劣っていた。また、表４〜６より、溶剤組成物が界面活性剤を含むと、両性汚れの溶解性がより向上した。
【００５４】
溶剤組成物は、乾燥性に優れ、且つ、両性汚れに対する溶解性に優れる。そのため、溶剤組成物は、インライン洗浄や切削加工間の中間洗浄剤として最適である。